【手続補正書】
【提出日】平成17年8月18日(2005.8.18)
【手続補正１】
【補正対象書類名】明細書
【補正対象項目名】特許請求の範囲
【補正方法】変更
【補正の内容】
【特許請求の範囲】
【請求項１】
下記の工程１）乃至４）を含む、糖代謝異常及び／又は脂質代謝異常の検出方法：
１）被験者又は被験動物より採取した検体より、全ＲＮＡ画分を抽出する工程；
２）正常人又は正常動物より採取した検体より、全ＲＮＡ画分を抽出する工程；
３）上記工程１）由来の全ＲＮＡ画分と上記工程２）由来の全ＲＮＡ画分における、下記のｉ）乃至ｉｉｉ）のいずれか一つに記載のポリヌクレオチドの発現量を測定する工程；
ｉ）配列表の配列番号２のヌクレオチド番号１７２乃至１４３１に示されるヌクレオチド配列を含むことからなるポリヌクレオチド、
ｉｉ）配列表の配列番号６のヌクレオチド番号５４乃至１３１６に示されるヌクレオチド配列を含むことからなるポリヌクレオチド、
ｉｉｉ）上記ｉ）又はｉｉ）のいずれか一つに記載のポリヌクレオチドのヌクレオチド配列と相補的なヌクレオチド配列からなるポリヌクレオチドとストリンジェントな条件下でハイブリダイズし、かつ、グリコーゲン濃度低下作用を有する蛋白質をコードするポリヌクレオチド；
４）上記工程１）由来の全ＲＮＡ画分と上記工程２）由来の全ＲＮＡ画分との間における、上記工程３）によって測定されたポリヌクレオチドの発現量の差を解析することにより、上記工程１）に記載の被験者又は被験動物の、糖代謝異常及び／又は脂質代謝異常を判定する工程。
【請求項２】
下記の工程１）乃至３)を含む、糖代謝異常及び／又は脂質代謝異常の検出方法：
１）被験者又は被験動物より採取した検体における、下記のｉ）乃至ｉｉｉ）のいずれか一つに記載の蛋白質の発現量を測定する工程：
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列を含むことからなり、かつ、グリコーゲン濃度低下作用を有する蛋白質；
２）正常人又は正常動物より採取した検体における、上記工程１）のｉ）乃至ｉｉｉ）のいずれか一つに記載の蛋白質の発現量を測定する工程；
３）上記工程１）によって測定された蛋白質の発現量と上記工程２）によって測定された該蛋白質の発現量の差を解析することにより、上記工程１）に記載の被験者又は被験動物の糖代謝異常及び／又は脂質代謝異常の病態を判定する工程。
【請求項３】
下記の工程１）乃至４）を含むことからなる、糖代謝異常及び／又は脂質代謝異常に対する、治療効果及び／又は予防効果を有する物質のスクリーニング方法：
１）被験物質を添加した培地で培養した哺乳動物由来培養細胞より、全ＲＮＡ画分を抽出する工程；
２）被験物質を添加しない培地で培養した哺乳動物由来培養細胞より、全ＲＮＡ画分を抽出する工程；
３）上記工程１）由来の全ＲＮＡ画分と上記工程２）由来の全ＲＮＡ画分における、下記のｉ）乃至ｉｉｉ）のいずれか一つに記載のポリヌクレオチドの発現量を測定する工程；
ｉ）配列表の配列番号２のヌクレオチド番号１７２乃至１４３１に示されるヌクレオチド配列を含むことからなるポリヌクレオチド、
ｉｉ）配列表の配列番号６のヌクレオチド番号５４乃至１３１６に示されるヌクレオチド配列を含むことからなるポリヌクレオチド、
ｉｉｉ）上記ｉ）又はｉｉ）のいずれか一つに記載のポリヌクレオチドのヌクレオチド配列と相補的なヌクレオチド配列からなるポリヌクレオチドとストリンジェントな条件下でハイブリダイズし、かつ、グリコーゲン濃度低下作用を有する蛋白質をコードするポリヌクレオチド；
４）上記工程１）由来の全ＲＮＡ画分と上記工程２）由来の全ＲＮＡ画分との間における、上記工程３）によって測定されたポリヌクレオチドの発現量の差を解析することにより、被験物質の、糖代謝異常及び／又は脂質代謝異常に対する、治療効果及び／又は予防効果を判定する工程。
【請求項４】
下記の工程１）乃至４）を含むことからなる、糖代謝異常及び／又は脂質代謝異常に対する、治療効果及び／又は予防効果を有する物質のスクリーニング方法：
１）被験物質を投与した哺乳動物個体より採取した検体より、全ＲＮＡ画分を抽出する工程；
２）被験物質を投与しなかった哺乳動物個体より採取した検体より、全ＲＮＡ画分を抽出する工程；
３）上記工程１）由来の全ＲＮＡ画分と上記工程２）由来の全ＲＮＡ画分における、下記のｉ）乃至ｉｉｉ）のいずれか一つに記載のポリヌクレオチドの発現量を測定する工程；
ｉ）配列表の配列番号２のヌクレオチド番号１７２乃至１４３１に示されるヌクレオチド配列を含むことからなるポリヌクレオチド、
ｉｉ）配列表の配列番号６のヌクレオチド番号５４乃至１３１６に示されるヌクレオチド配列を含むことからなるポリヌクレオチド、
ｉｉｉ）上記ｉ）又はｉｉ）のいずれか一つに記載のポリヌクレオチドのヌクレオチド配列と相補的なヌクレオチド配列からなるポリヌクレオチドとストリンジェントな条件下でハイブリダイズし、かつ、グリコーゲン濃度低下作用を有する蛋白質をコードするポリヌクレオチド；
４）上記工程１）由来の全ＲＮＡ画分と上記工程２）由来の全ＲＮＡ画分との間における上記工程３）によって検出されたポリヌクレオチドの発現量の差を解析することにより、被験物質の、糖代謝異常及び／又は脂質代謝異常に対する、治療効果及び／又は予防効果を判定する工程。
【請求項５】
下記の工程１）乃至３）を含むことからなる、糖代謝異常及び／又は脂質代謝異常に対する、治療効果及び／又は予防効果を有する物質のスクリーニング方法：
１）被験物質を添加した培地で培養した哺乳動物由来培養細胞における、下記のｉ）乃至ｉｉｉ）のいずれか一つに記載の蛋白質の発現量を測定する工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質；
２）被験物質を添加しない培地で培養した哺乳動物由来培養細胞における、上記工程１）のｉ）乃至ｉｉｉ）のいずれか一つに記載の蛋白質の発現量を測定する工程；
３）上記工程１）で検出された蛋白質の発現量と、上記工程２）で検出された該蛋白質の発現量の差を解析することにより、被験物質の、糖代謝異常及び／又は脂質代謝異常に対する、治療効果及び／又は予防効果を判定する工程。
【請求項６】
下記の工程１）乃至３）を含むことからなる、糖代謝異常及び／又は脂質代謝異常に対する、治療効果及び／又は予防効果を有する物質のスクリーニング方法：
１）被験物質を投与した哺乳動物個体より採取した検体における、下記のｉ）乃至ｉｉｉ）のいずれか一つに記載の蛋白質の発現量を測定する工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質；
２）被験物質を投与しなかった哺乳動物個体より採取した検体における、上記工程１）のｉ）乃至ｉｉｉ）のいずれか一つに記載の蛋白質の発現量を測定する工程；
３）上記工程１）で測定された蛋白質の発現量と、上記工程２）で測定された該蛋白質の発現量の差を解析することにより、被験物質の糖代謝異常及び／又は脂質代謝異常に対する、治療効果及び／又は予防効果を判定する工程。
【請求項７】
下記の工程１）乃至３）を含むことからなる、糖代謝異常及び／又は脂質代謝異常に対する、治療効果及び／又は予防効果を有する物質のスクリーニング方法：
１）下記のｉ）乃至ｉｉｉ）のいずれか一つに記載の蛋白質と被験物質とを添加して培養した哺乳動物由来培養細胞中のグリコーゲン濃度を測定する工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質；
２）上記工程１）のｉ）乃至ｉｉｉ）のいずれの蛋白質も添加しないで、被験物質を添加して培養した哺乳動物由来培養細胞中のグリコーゲン濃度を測定する工程；
３）上記工程１）で測定したグリコーゲン濃度と上記工程２）で測定したグリコーゲン濃度の差を解析することにより、被験物質の、糖代謝異常及び／又は脂質代謝異常に対する、治療効果及び／又は予防効果を判定する工程。
【請求項８】
下記の工程１）乃至４）を含むことからなる、糖代謝異常及び／又は脂質代謝異常に対する、治療効果及び／又は予防効果を有する物質のスクリーニング方法：
１）下記のｉ）乃至ｉｉｉ）のいずれか一つに記載の蛋白質と被験物質とを添加して培養した哺乳動物由来培養細胞にインスリンを添加してインキュベートする工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質；
２）上記工程１）のｉ）乃至ｉｉｉ）のいずれの蛋白質も添加しないで、被験物質を添加して培養した哺乳動物由来培養細胞にインスリンを添加してインキュベートする工程；
３）上記工程１）由来の哺乳動物由来培養細胞中と上記工程２）由来の哺乳動物由来培養細胞中のグリコーゲン濃度を測定する工程；
４）上記工程１）由来の哺乳動物由来培養細胞と上記工程２）由来の哺乳動物由来培養細胞との間における、上記工程３）で測定したグリコーゲン濃度の差を解析することにより、被験物質の、糖代謝異常及び／又は脂質代謝異常に対する、治療効果及び／又は予防効果を判定する工程。
【請求項９】
下記の工程１）乃至４）を含む、糖代謝異常及び／又は脂質代謝異常に対する、治療効果及び／又は予防効果を有する物質のスクリーニング方法：
１）哺乳動物個体に、以下のｉ）乃至ｉｉｉ）のいずれか一つに記載の蛋白質及び被験物質を投与する工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質；
２）哺乳動物個体に、上記工程１)のｉ）乃至ｉｉｉ）のいずれか一つに記載の蛋白質を投与する工程；
３）上記工程１）由来の哺乳動物個体及び上記工程２）由来の哺乳動物個体の血中のグリコーゲン濃度及び／又は中性脂質濃度を測定する工程；
４）上記工程１)由来の哺乳動物個体及び上記工程２)由来の哺乳動物個体との間における、上記工程３）で測定した、血中のグルコース濃度、グリコーゲン濃度及び／又は中性脂質濃度の差を解析することにより、被験物質の、糖代謝異常及び／又は脂質代謝異常に対する、治療効果及び／又は予防効果を判定する工程。
【請求項１０】
下記の工程１）乃至５）を含む、糖代謝異常及び／又は脂質代謝異常の、治療効果及び／又は予防効果を有する物質のスクリーニング方法：
１）哺乳動物個体に、以下のｉ）乃至ｉｉｉ）のいずれか一つに記載のポリヌクレオチドを発現させる工程；
ｉ）配列表の配列番号３のアミノ酸番号１乃至４１９に示されるアミノ酸配列を含むことからなる蛋白質、
ｉｉ）配列表の配列番号７のアミノ酸番号１乃至４２０に示されるアミノ酸配列を含むことからなる蛋白質、
ｉｉｉ）上記ｉ）又はｉｉ）に記載の蛋白質のアミノ酸配列において１若しくは数個のアミノ酸が欠失、置換若しくは付加されたアミノ酸配列からなり、かつ、グリコーゲン濃度低下作用を有する蛋白質、
２）上記工程１）に記載の哺乳動物個体に被験物質を投与する工程；
３）上記工程１)のｉ）乃至ｉｉｉ）に記載のいずれのポリヌクレオチドも発現させない哺乳動物個体に被験物質を投与する工程；
４）上記工程２）由来の哺乳動物個体と上記工程３）由来の哺乳動物個体における血中のグルコース濃度、グリコーゲン濃度及び／又は中性脂質濃度を測定する工程；
５）上記工程２）由来の哺乳動物個体と上記工程３）由来の哺乳動物個体との間における、上記工程４）で測定された、血中のグルコース濃度、グリコーゲン濃度及び／又は中性脂質濃度の差を解析することにより、被験物質の、糖代謝異常及び／又は脂質代謝異常に対する、治療効果及び／又は予防効果を判定する工程。
【請求項１１】
下記の１）乃至３）のいずれか一つに記載の蛋白質に被験物質を含む試料を接触させ、次いで、該蛋白質に結合した物質を分離することを特徴とする糖代謝異常及び／又は脂質代謝異常に対する、治療効果及び／又は予防効果をは有する物質の単離方法：
１）配列表の配列番号３のアミノ酸番号１乃至４１９に示されるアミノ酸配列を含むことからなる蛋白質；
２）配列表の配列番号７のアミノ酸番号１乃至４２０に示されるアミノ酸配列を含むことからなる蛋白質；
３）上記１）又は２）に記載の蛋白質のアミノ酸配列において１若しくは数個のアミノ酸が欠失、置換若しくは付加されたアミノ酸配列からなり、かつ、グリコーゲン濃度低下作用を有する蛋白質。
【請求項１２】
哺乳動物由来培養細胞が霊長類又はげっ歯類由来であることを特徴とする請求項３、５、７及び８のいずれか一つに記載のスクリーニング方法。
【請求項１３】
哺乳動物由来培養細胞がヒト、サル、マウス又はラット由来培養細胞であることを特徴とする、請求項３、５、７及び８のいずれか一つに記載のスクリーニング方法。
【請求項１４】
哺乳動物由来培養細胞がヒト又はマウス由来であることを特徴とする請求項３、５、７及び８のいずれか一つに記載のスクリーニング方法。
【請求項１５】
哺乳動物由来培養細胞が、マウス由来の繊維芽細胞、マウス、ラットもしくはヒト由来の遊離脂肪細胞、マウス、ラットもしくはヒト由来の初代肝細胞であることを特徴とする請求項３、５、７及び８のいずれか一つに記載のスクリーニング方法。
【請求項１６】
哺乳動物個体が、サル、イヌ、マウス及びラットのいずれかであることを特徴とする、請求項４、６、９又は１０に記載の方法。
【請求項１７】
下記の１）乃至３）からなる群から選択される少なくとも一つ以上を含む、糖代謝異常及び／又は脂質代謝異常に対する、治療効果及び／又は予防効果を有する物質のスクリーニング用、及び／又は、糖代謝異常及び／又は脂質代謝異常の検出用、キット：
１）少なくとも、配列表の配列番号２又は６に示されるヌクレオチド配列を含むことからなるポリヌクレオチドの一つを特異的に増幅するための１５乃至３０塩基長の連続したオリゴヌクレオチドプライマー；
２）少なくとも、配列表の配列番号２又は６に示されるヌクレオチド配列を含むことからなるポリヌクレオチドの一つにストリンジェントな条件下でハイブリダイズし、該ポリヌクレオチドを検出するための１５ヌクレオチド以上の連続したポリヌクレオチドプローブ；
３）少なくとも、配列表の配列番号２又は６に示されるヌクレオチド配列を含むことからなるポリヌクレオチドの一つが固定された固相化試料。
【請求項１８】
下記の１）及び２）の少なくとも一つを含む、糖代謝異常及び／又は脂質代謝異常に対する、治療効果及び／又は予防効果を有する物質のスクリーニング用、及び／又は、糖代謝異常及び／又は脂質代謝異常の検出用、キット：
１）少なくとも、配列表の配列番号３又は７に示されるアミノ酸配列を含むことからなる蛋白質の一つに特異的に結合し、該蛋白質を検出するための抗体；
２）上記１）に記載の抗体に結合し得る二次抗体。
【請求項１９】
ポリヌクレオチドの発現量を測定する方法が、ノーザンブロット法、ドットブロット法、スロットブロット法、ＲＴ−ＰＣＲ、リボヌクレアーゼ保護アッセイ又はランオン・アッセイであることを特徴とする、請求項１、３、４及び１２乃至１６のいずれか一つに記載の方法。
【請求項２０】
ポリヌクレオチドの発現量を測定する方法が動物組織又は動物細胞由来の相補的ＤＮＡ群又は該ＤＮＡ群の各ＤＮＡの部分配列を含むことからなるＤＮＡ群で作製された遺伝子チップ又はアレイを用いることを特徴とする請求項１、３、４及び１２乃至１６のいずれか一つに記載の方法。
【請求項２１】
蛋白質の発現量の測定方法が、該蛋白質に特異的に結合する抗体又はリガンドを用いることを特徴とする、請求項２、５、６及び１２乃至１６のいずれか一つに記載の方法。
【請求項２２】
蛋白質の発現量の測定方法が、ウエスタンブロット法、ドットブロット法、スロットブロット法又は固相酵素免疫定量法（ＥＬＩＳＡ法）であることを特徴とする、請求項２、５、６及び１２乃至１６のいずれか一つに記載の方法。
【請求項２３】
下記の１）乃至３）からなる群から選択される少なくとも一つの蛋白質：
１）配列表の配列番号３のアミノ酸番号１乃至４１９に示されるアミノ酸配列を含むことからなる蛋白質；
２）配列表の配列番号７のアミノ酸番号１乃至４２０に示されるアミノ酸配列を含むことからなる蛋白質；
３）上記１）又は２）に記載の蛋白質のアミノ酸配列において１若しくは数個のアミノ酸が欠失、置換若しくは付加されたアミノ酸配列からなり、かつ、グリコーゲン濃度低下作用を有する蛋白質。
【請求項２４】
下記の１）乃至３）からなる群から選択される少なくとも一つの蛋白質を特異的に認識する抗体：
１）配列表の配列番号３のアミノ酸番号１乃至４１９に示されるアミノ酸配列を含むことからなる蛋白質；
２）配列表の配列番号７のアミノ酸番号１乃至４２０に示されるアミノ酸配列を含むことからなる蛋白質；
３）上記１）又は２）に記載の蛋白質のアミノ酸配列において１若しくは数個のアミノ酸が欠失、置換若しくは付加されたアミノ酸配列からなり、かつ、グリコーゲン濃度低下作用を有する蛋白質。
【請求項２５】
下記の１）乃至３）からなる群から選択される少なくとも一つのヌクレオチド配列又は該配列の部分配列に相補的なヌクレオチド配列を有するオリゴヌクレオチドを含む、糖代謝異常及び／又は脂質代謝異常に対する、治療用及び／又は予防用、医薬組成物：
１）配列表の配列番号２のヌクレオチド番号１７２乃至１４３１に示されるヌクレオチド配列；
２）配列表の配列番号６のヌクレオチド番号５４乃至１３１６に示されるヌクレオチド配列；
３）上記１）又は２）に記載のポリヌクレオチドのヌクレオチド配列と相補的なヌクレオチド配列からなるポリヌクレオチドとストリンジェントな条件下でハイブリダイズし、かつ、グリコーゲン濃度低下作用を有する蛋白質をコードするポリヌクレオチド。
【請求項２６】
下記の１）乃至３）からなる群から選択される少なくとも一つの蛋白質を特異的に認識する抗体を含有する糖代謝異常及び／又は脂質代謝異常に対する、治療用及び／又は予防用、医薬組成物：
１）配列表の配列番号３のアミノ酸番号１乃至４１９に示されるアミノ酸配列を含むことからなる蛋白質；
２）配列表の配列番号７のアミノ酸番号１乃至４２０に示されるアミノ酸配列を含むことからなる蛋白質；
３）上記１）又は２）に記載の蛋白質のアミノ酸配列において１若しくは数個のアミノ酸が欠失、置換若しくは付加されたアミノ酸配列からなり、かつ、グリコーゲン濃度低下作用を有する蛋白質。
【請求項２７】
下記の１）乃至３）からなる群から選択される蛋白質のうち少なくとも一つを含有する、糖代謝異常及び／又は脂質代謝異常の、予防及び／又は治療用医薬組成物。
１）配列表の配列番号３のアミノ酸番号１乃至４１９に示されるアミノ酸配列を含むことからなる蛋白質；
２）配列表の配列番号７のアミノ酸番号１乃至４２０に示されるアミノ酸配列を含むことからなる蛋白質；
３）上記１）又は２）に記載の蛋白質のアミノ酸配列において１若しくは数個のアミノ酸が欠失、置換若しくは付加されたアミノ酸配列からなり、かつ、グリコーゲン濃度低下作用を有する蛋白質。
【請求項２８】
被験者の血糖値を低下する機能を有することを特徴とする請求項２５又は２６に記載の医薬組成物。
【請求項２９】
下記の１)乃至３）からなる群から選択される少なくとも１以上を含む糖代謝異常及び／又は脂質代謝異常の検出用キット：
１）配列表の配列番号２のヌクレオチド番号１乃至１４７９に示されるヌクレオチド配列を含むことからなるポリヌクレオチド又は配列表の配列番号６のヌクレオチド番号１乃至１４３８に示されるヌクレオチド配列を含むことからなるポリヌクレオチドの一部乃至全部を特異的に増幅するための１５乃至３０塩基長の連続したオリゴヌクレオチドプライマー；
２）配列表の配列番号２のヌクレオチド番号１乃至１４７９に示されるヌクレオチド配列を含むことからなるポリヌクレオチド又は配列表の配列番号６のヌクレオチド番号１乃至１４３８に示されるヌクレオチド配列からなるポリヌクレオチドにストリンジェントな条件下でハイブリダイズし、該ポリヌクレオチドを検出するための１５ヌクレオチド以上の連続したポリヌクレオチドプローブ；
３）上記１）に記載のオリゴヌクレオチドプライマー又は上記２）に記載のポリヌクレオチドプローブのいずれか一つのポリヌクレオチドが固定された固相化試料。
【請求項３０】
下記の１)及び２）の少なくとも１つを含む糖代謝異常及び／又は脂質代謝異常の検出用キット：
１）配列表の配列番号３のアミノ酸番号１乃至４１９に示されるアミノ酸配列を含むことからなる蛋白質又は配列表の配列番号７のアミノ酸番号１乃至４２０に示されるアミノ酸配列を含むことからなる蛋白質に特異的に結合し、該蛋白質を検出するための抗体；
２）上記１）に記載の抗体に結合し得る二次抗体。